(57)【要約】  本発明は、食材の粉砕のための器具（１）に関する。当該器具（１）は切断部（６）のためのレセプタクルを有するベース部（３）と、作動部（４）とを含む。粉砕用の食材（２０）を押し込むために、作動部（４）が切断部（６）に向かって枢動され得るように、作動部（４）は、ベース部（３）に関節的に固定され得る。当該器具（１）では、作動部（４）の代替として、あるいは、作動部（４）に加えて、ベース部（３）に関節的に固定可能であるか、あるいは、固定される、フードスライサー（５）が備えられるか、あるいは、作動部（４）は、好ましくは、取り外し可能な方法で、少なくとも１つのプランジャー要素（７）が固定可能であるか、あるいは、固定される支持体（８）を有し、かつ、フードスライサー（５）は、支持体（８）を形成するか、あるいは、支持体（８）を有することを特徴とする。
2016501647.tif 000002
【特許請求の範囲】
【請求項１】
食材の粉砕のための器具であって、
切断部のためのレセプタクルを有するベース部と、
作動部と、
を含み、
粉砕されるべき食材を押し込むために、前記作動部が前記切断部に向かって枢動され得るように、前記作動部は前記ベース部に関節的に固定されることができ、
前記作動部の代替として、あるいは、前記作動部に加えて、前記ベース部に関節的に固定可能であるか、あるいは、固定されるフードスライサーが備えられる、
器具。
【請求項２】
ａ．前記ベース部は、一方では、少なくとも１つのジョイントヘッドを有し、前記作動部及び／又は前記フードスライサーは、他方では、関節接続を形成するための対応するジョイントレセプタクルを有するか、あるいは、
ｂ．前記作動部及び／又は前記フードスライサーは、一方では、少なくとも１つのジョイントヘッドを有し、前記ベース部は、他方では、関節接続を形成するための対応するジョイントレセプタクルを有する、請求項１に記載の器具。
【請求項３】
ａ．特に、道具を使用せずに、かつ／あるいは、分離される前記作動部及び前記ベース部だけにより、少なくとも所定の枢動位置において、前記作動部又は前記フードスライサーが前記ベース部から取り外し可能であるように、関節接続は設計され、かつ／あるいは、
ｂ．特に、道具を使用せずに、かつ／あるいは、分離される前記作動部及び前記ベース部だけにより、排他的に所定の枢動位置において、あるいは、所定の枢動位置範囲で、前記作動部又は前記フードスライサーが前記ベース部から取り外し可能であるように、関節接続は設計される、請求項１又は２に記載の器具。
【請求項４】
ａ．前記所定の枢動位置は、前記ベース部の平面と前記作動部の平面との間に、８０°から１００°の範囲の角度、特に、９０°の角度にあり、かつ／あるいは、
ｂ．前記所定の枢動位置範囲は、前記ベース部の平面と前記作動部の平面との間に、７０°から１１０°、特に、８０°から１００°、特に、８５°から９５°の角度範囲を有する、請求項３に記載の器具。
【請求項５】
ａ．前記ジョイントレセプタクルは、径方向開口を有し、それを介して、前記ジョイントヘッドは、径方向において、前記ジョイントレセプタクルから除去されるか、あるいは、前記ジョイントレセプタクルに挿入されることができ、かつ／あるいは、
ｂ．前記ジョイントレセプタクルは、開口を有し、それを介して、前記ジョイントヘッドは、関節接続の枢動軸の方向と異なる方向に沿って、前記ジョイントレセプタクルから除去されるか、あるいは、前記ジョイントレセプタクルに挿入されることができる、請求項１から４のいずれか一項に記載の器具。
【請求項６】
前記ジョイントヘッドは、断面において、非円形、特に、矩形の形状であり、かつ／あるいは、
関節接続は、ヒンジ接合の形状である、請求項２から４のいずれか一項に記載の器具。
【請求項７】
閉位置からローディング位置へ、かつ／あるいは、ローディング位置から閉位置への前記作動部及び／又は前記フードスライサーの枢動動作を補助するため、あるいは、生じさせるために、前記器具は、少なくとも１つの駆動器具、特に、ばね駆動を有する、請求項１から６のいずれか一項に記載の器具。
【請求項８】
前記駆動器具は、選択的に起動可能か、あるいは、起動停止可能であり、かつ／あるいは、
前記駆動器具の補助力は、調整可能である、請求項７に記載の器具。
【請求項９】
前記ベース部は、粉砕された前記食材のための貫通開口を有し、かつ／あるいは、
前記レセプタクルに前記切断部が挿入されないとき、前記切断部のための前記レセプタクルは、前記フードスライサーによって粉砕された前記食材のための貫通開口を備える、請求項１から８のいずれか一項に記載の器具。
【請求項１０】
多数の切断部が、前記レセプタクルに同時に挿入されることができ、かつ／あるいは、
異なるサイズの切断部が、前記レセプタクルに挿入されることができる、請求項１から９のいずれか一項に記載の器具。
【請求項１１】
前記フードスライサーは、切断の厚み及び／又は切断パターンが調整され得ることによって、少なくとも１つの制御要素を有する、請求項１から１０のいずれか一項に記載の器具。
【請求項１２】
前記少なくとも１つの制御要素が、前記フードスライサーの切断側の反対に面する、前記フードスライサーの側部に配置される、請求項１１に記載の器具。
【請求項１３】
前記器具は、粉砕プロセスのために、調理台に置かれるように設計され、かつ／あるいは、
前記器具は、調理台に置くためのスタンドを有する、請求項１から１２のいずれか一項に記載の器具。
【請求項１４】
好ましくは、容器開口を完全に覆うように、前記器具は、容器に取り付けられることができ、かつ／あるいは、容器に固定されることができる、蓋の形態である、請求項１から１３のいずれか一項に記載の器具。
【請求項１５】
前記作動部の代替としてか、あるいは、前記作動部に加えて、前記ベース部に関節的に固定可能であるか、あるいは、固定されるフードスライサーの代わりに、前記作動部は、少なくとも１つのプレスプランジャーが、好ましくは、取り外し可能な方法で、固定可能であるか、あるいは、固定される支持体を有し、
フードスライサーは、前記支持体を形成するか、あるいは、前記支持体を有し、
閉位置からローディング位置へ、かつ／あるいは、ローディング位置から閉位置への、前記作動部及び／又は前記フードスライサーの枢動動作を補助するため、あるいは、生じさせるために、前記器具は、少なくとも１つの駆動器具、特に、ばね駆動を有する、請求項１から１４のいずれか一項に記載の器具。
【請求項１６】
ａ．前記ベース部は、粉砕された前記食材のための容器の形態であり、かつ／あるいは、
ｂ．前記ベース部は、前記器具を調理台に置くことを可能にするためのスタンドの形態であるか、あるいは、前記器具を調理台に置くことを可能にするためのスタンドを有する、請求項１から１５のいずれか一項に記載の器具。
【請求項１７】
請求項１から１５のいずれか一項に記載され、蓋の形態である器具と、
好ましくは、容器開口を完全に覆うように、前記器具が取り付けられ、かつ／あるいは、好ましくは、道具を使用せずに、再び取り外し可能であるように、前記器具が固定される容器と、
を有する、台所用品。
【請求項１８】
ａ．前記容器は、前記器具を調理台に置くことを可能にするためのスタンドの形態であり、かつ／あるいは、
ｂ．前記台所用品は、粉砕プロセスのために、調理台に置かれるように設計される、請求項１７に記載の台所用品。
【発明の詳細な説明】
【技術分野】
【０００１】
本発明は、食材の粉砕のための器具に関する。当該器具はベース部を有し、ベース部は、切断部のためのレセプタクルを有する。粉砕されるべき食材を押し込むために、作動部が切断部に向けて枢動され得るように、作動部はベース部に関節的に固定され得る。
【背景技術】
【０００２】
例えば、マッシュルームなどの比較的小さな食材の粉砕のための導入において言及されるこの種の器具は、手持ち器具の形態の例として公知である。
【０００３】
例えば、独国特許出願公開第１０２４２６５１Ａ１号明細書は、切断用の食材又は同様のアイテムのための切断器具について記載する。切断器具は、取り付けられた多数の実質的に平行な刃を備える切断部を有する。刃は、刃先を有する。アイテムを短冊状、あるいは、スライス状に切断するために、刃先は、切断用アイテムのための切断面を形成する。プランジャーの形態をした作動部は、間にある切断用アイテムと共に、切断面に近づき、かつ、遠ざかって動かすことができる底面を有する。底面は、溝状、あるいは、スロット状のレセプタクルを有する。このようなレセプタクルは、実質的に刃に対応し、かつ、介在したウェブを有する。底面は、切断用アイテムに作用し、これらのアイテムを切断面に向かって、かつ、刃の間に動かす。切断部及びプランジャーは、トングの各アームの自由端の領域に配置される、ということが規定される。トングのアームは、枢動ベアリングにより、他の自由端の領域で枢動可能に接続される。トングのアームは、ばねによって開位置に予め載荷（ｐｒｅｌｏａｄ）される。
【０００４】
独国実用新案出願公開第２０２００７０１８９２２Ｕ１号明細書から、特別な切刃配列を有する同様の器具が公知である。
【０００５】
上述の器具は、片手で持つ器具であり、一対のトングと似ている。粉砕器具を持つ手を閉じることによって粉砕プロセスが行われる場合、その結果として、トングの２つのアームは、共に押される。
【０００６】
以下に説明されるように、全く異なる設計で、そして、手で持たずに調理台に置かれる器具も存在する。これらの器具は、通常、粉砕されたアイテムのための容器を有する。これらの器具が上述の器具と共有する唯一の共通の特徴は、粉砕原理（ｃｏｍｍｉｎｕｔｉｏｎ  ｐｒｉｎｃｉｐｌｅ）であり、特に、粉砕用アイテムが切断器具に押し込まれるということである。
【０００７】
例えば、独国特許出願公開第１０２００９０２３１６７Ａ１号明細書は、果物や野菜などの食材を切断するための器具を開示する。当該器具は、多数の刃先を有する切断部と、作動部とを有する。切断部及び作動部は、互いに対して枢動可能であるように取り付けられる。切断用アイテムを切断するために、作動部は切断部に向かって押される。作動部は、切断用アイテムを切断部に押し込むプランジャーを有する。刃先は、プランジャーの対応する窪み部に突き出る。切断部は、切刃が保持される切断フレームを有する。当該器具は、切断用の切断されたアイテムのための受容器に取り付けるための蓋部を更に有する。蓋部は、切断用の切断されたアイテムのための通路を形成する開口を有する。
【０００８】
調理台に置くための他の器具は、例えば、独国実用新案出願公開第２０２０１１０５００４１Ｕ１号明細書及び独国実用新案出願公開第２１２００５００００４８Ｕ１号明細書から公知である。
【０００９】
米国特許第１，２６３，１５１号明細書は、器具を開示する。当該器具では、切断要件によって、食材の粉砕のための格納された異なる多数の切断インサートのうちの１つの切断インサートが取り付けられる。
【００１０】
英国特許第２０３２２６０Ａ号明細書、欧州特許第１９１８０７８Ａ２号明細書及び独国実用新案第９１１０５８７Ｕ１号明細書から、種々のフードスライサーが公知である。当該フードスライサーは、まず水平な刃を有し、次に、垂直な刃も切断側に有する。水平な刃は、食材をスライス状にスライスするか、あるいは、切断するように機能する。追加的な垂直の刃は、食材を短冊状に切断するように機能する。
【００１１】
独国実用新案出願公開第２０２００９０１１６８７Ｕ１号明細書は、切断部を備える台所用スライサーを開示する。切断部は、食材のためのスライド面を有し、かつ、スライド面に平行して配置されるスライサー刃を有する。調整器具を用いて、スライド面の平面とスライサー刃の平面との間の距離は変えることができ、従って、食材に対して異なる切断の厚みが設定され得る。更に、切断スライサーは、切断グリッドと、手動で食材を切断グリッドに押し込むための押込み器具とを備える。
【００１２】
国際公開第２０１１／０６４７２３Ａ２号明細書は、フードスライサー器具を開示する。当該フードスライサー器具は、互いに向かって手動で枢動され、かつ、互いに締結される、２つのプレートを備える切断グリッドを有する。食材のための受容器は、一方のプレートであるベースプレートに取り付けられる。他方のプレートであるスライサープラットフォームは、中にある切断グリッドを有する貫通開口を有する。受容器及び貫通開口は、プレートが互いに向かって枢動されると、食材が切断グリッドに押し込まれ、細かく切断されるように位置する。次いで、スライサープラットフォーム上を摺動するスライサーキャリッジによって、食材が追加的にスライスされ、かつ、更に粉砕され得る。
【００１３】
例えば、サラダなどの今日一般的な食べ物の用意は、異なる食材の粉砕のために、非常に多種多様のオプションを必要とする。まず、サラダを用意するために、例えば、キュウリといった食材をスライスする必要がある。次に、同じサラダを用意するために、例えば、切断部を押し込むことで切断されるべき、チーズや肉類などといった更なる食材を、切断部に押し込むことによって切断することが追加的に必要である。そのような食事の用意をするために、さまざま道具が必要になる。各道具は、排他的な所定の粉砕原理に特に基づいて動作し、互いに全く別々に使用される。粉砕プロセス後、例えば、ミックスサラダを用意するために、食材を混ぜ合せるため、ユーザは、異なる道具を使用して、粉砕された食材を一つにしなくてはならない。
【発明の概要】
【００１４】
それ故、本発明の目的は、食材をさまざまな方法で粉砕することを可能にする器具について明記することである。
【００１５】
この目的は、導入部分で言及した種類の器具によって達成される。当該器具では、作動部の代替として、あるいは、作動部に加えて、ベース部に関節的に固定可能であるか、あるいは、固定されるフードスライサーが備えられる。
【００１６】
本発明に従った器具は、これまでの別々の粉砕用器具を補完的な方法で１つの器具で利用することができるという利点を有する。これは、特に、ユーザは、一方の食材をスライスするため、かつ、他方の食材を切断部に押し込むことで切断するための、２つの互いに別々の異なる器具をもはや使用する必要がない、ということを意味する。
【００１７】
更に、作動部が食材を切断部に押し込むために使用され、かつ、押し込まれた粉砕されたアイテムが容器内で収集される第１の粉砕プロセスの後、フードスライサーが作動部の代わりに取り付けられ、これにより、異なる食材をスライスすることができる。このような方法で粉砕された食材は、同一の容器内で収集される。特に、この方法では、さまざまな食材が混合され得る共通のボウルへの、食材の遡及的な移動が不要となる。
【００１８】
フードスライサーの関節接続のため、特に、容器開口にベース部が固定されるときでさえ、例えば、容器がどれくらい満たされたかを確認するために、あるいは、フードスライサーの切断機構の裏側に詰まった食材を除去するために、ユーザは、多大な労力を要することなく、フードスライサーを上向きに枢動させることができるという非常に特定の利点を更に有する。
【００１９】
以下で更に詳細に述べるように、本発明は、フードスライサーの裏側に、切断の厚み又は切断パターンを調整するための制御要素が備えられ得る、という更なる利点を有する。作業位置（好ましくは、水平位置）からアクセス位置（好ましくは、垂直位置）へのベース部に対するフードスライサーの枢動によって、この制御要素は容易にアクセスされ得る。
【００２０】
器具の更なる利点としては、ユーザが行う必要がある、食材の粉砕のための作業工程がより少ない、ということがある。これにより、ユーザが費やさなければならない作業の手間は軽減される。また、更なる利点としては、２つの互いに別々の器具よりも、単一の器具の方が扱いやすく、より容易に洗浄及び修理を行うことができるということがある。
【００２１】
作動部をフードスライサーと交換するよりはむしろ、ベース部に枢動可能に取り付けられるフードスライサーが、接合され得るプレスプランジャーと共に、粉砕用アイテムを切断部に押し込むための作動部を形成する、ということも有利に規定され得る。そのような実施形態は、特に少数の部品と共に行うという、特定の利点を有する。例えば、プレスプランジャーは、簡易プラグ型結合（ｓｉｍｐｌｅ  ｐｌｕｇ−ｔｙｐｅ  ｃｏｎｎｅｃｔｉｏｎ）及び／又は戻り止め結合（ｄｅｔｅｎｔ  ｃｏｎｎｅｃｔｉｏｎ）によって、支持体に固定され得る。
【００２２】
ベース部と作動部との間の関節接続と、ベース部とフードスライサーとの間の関節接続は、異なる方法で実現され得る。簡単な方法で、特に、道具を使用せずに、かつ／あるいは、単純な連結（ｐｌｕｇｇｉｎｇ−ｔｏｇｅｔｈｅｒ）及び分離（ｐｕｌｌｉｎｇ−ａｐａｒｔ）の動作を行うことにより、一緒に接合され、かつ、再び取り外すことができる関節接続が、特に有利である。
【００２３】
特定の実施形態において、ベース部は、一方では、少なくとも１つのジョイントヘッドを有し、作動部及び／又はフードスライサーは、他方では、関節接続を形成するための対応するジョイントレセプタクルを有する。逆に、作動部及び／又はフードスライサーは、一方では、少なくとも１つのジョイントヘッドを有し、ベース部は、他方では、関節接続を形成するための対応するジョイントレセプタクルを有する、ということも明らかに規定され得る。
【００２４】
特定の実施形態において、特に、道具を使用せずに、かつ／あるいは、分離される作動部及びベース部だけにより、少なくとも所定の枢動位置において、作動部又はフードスライサーがベース部から取り外し可能であるように、関節接続は設計される。また、特に、道具を使用せずに、かつ／あるいは、分離される作動部及びベース部だけにより、排他的に、所定の枢動位置において、あるいは、所定の枢動位置範囲で、作動部又はフードスライサーがベース部から取り外し可能であるように、関節接続は設計され得る。
【００２５】
所定の枢動位置は、ベース部の平面と作動部の平面との間に、例えば、８０°から１００°の範囲の角度にあり、特に、９０°の角度にあることができる。２つの平面は、作動部及びベース部の回転の軸に平行する共通の真っ直ぐな交差線を有することを特徴とする。特に、所定の枢動位置範囲は、ベース部の平面と作動部の平面との間に、７０°から１１０°、特に、８０°から１００°、特に、８５°から９５°の角度範囲を有するということも規定され得る。
【００２６】
特定の実施形態において、関節接続の脱着性を実現するために、ジョイントヘッドレセプタクルは径方向開口（ｒａｄｉａｌ  ｏｐｅｎｉｎｇ）を有し、それを介して、ジョイントヘッドは、径方向（ｒａｄｉａｌ  ｄｉｒｅｃｔｉｏｎ）において、ジョイントヘッドレセプタクルから除去され得るか、あるいは、ジョイントヘッドレセプタクルに挿入され得る。ジョイントヘッドレセプタクルが開口を有し、それを介して、ジョイントヘッドが、関節接続の枢動軸の方向と異なる方向に沿って、ジョイントヘッドレセプタクルから除去されるか、あるいは、ジョイントヘッドレセプタクルに挿入され得る、ということが非常に一般的に規定され得る。
【００２７】
特に、上述の器具のうちの１つの場合、断面において、ジョイントヘッドが非円形、特に、矩形の形状である、ということが有利に規定され得る。特に、特定の枢動位置において、この種のジョイントヘッドは、ジョイントヘッドレセプタクルの開口を介して、ジョイントヘッドレセプタクルに挿入され得る。一方で、異なる枢動位置において、ジョイントヘッドは、開口を介してジョイントヘッドレセプタクルを出ることができない。
【００２８】
非常に特定の有利な実施形態において、閉位置からローディング位置（ｌｏａｄｉｎｇ  ｐｏｓｉｔｉｏｎ）へ、かつ／あるいは、ローディング位置から閉位置への、作動部及び／又はフードスライサーの枢動動作を補助するため、あるいは、生じさせるために、器具は、少なくとも１つの駆動器具、特に、ばね駆動を有する。
【００２９】
この種の器具は、特に、片腕を使用して操作することができるという、非常に特別な利点を有する。例えば、ユーザは、一方の手を使用して粉砕用アイテムを切断部に置き、その後、他方の手を使用して切断部に向かって作動部を枢動させ、従って、ばね駆動の形態の駆動器具のばねをストレス下に置く、ということが規定され得る。ストレスを加えられたばねによって生じた力の作用の下、作動部は、粉砕プロセスが行われた後、再び閉位置からローディング位置へと自動的に戻ることができる。つまり、ユーザは、片手でベース部を保持する必要がない。結果的に、ユーザは、ローディング位置から閉位置へと作動部を枢動させるためだけに一方の手を使用する一方で、毎回の粉砕プロセス後、更なる粉砕用アイテムを切断部に置くためだけに他方の手を使用することができる。
【００３０】
このようにして、同じ長さの時間で非常に大量の食材を処理することができる。これは、非常に迅速に、かつ、ユーザが不便で時間のかかる持ち替えを行わずに、手順が実行され得るからである。
【００３１】
有利な実施形態において、駆動器具は、選択的に起動可能であるか、あるいは、起動停止可能である、ということが規定され、かつ／あるいは、駆動器具の補助力は調整可能である、ということが規定される
【００３２】
駆動器具が起動停止されるときに、ベース部に対して枢動自在である作動部により、起動停止が実現されることが好ましい。しかしながら、起動停止は、ベース部に対する作動部の枢動がもはや可能ではないことにより実現される、ということも規定され得る。
【００３３】
そのような実施形態は、粉砕用アイテムの種類に従って調整され得るという利点を有し、これにより、迅速で効率的な粉砕プロセスが常に可能となる。
【００３４】
例えば、ローディング位置から閉位置へと差動部を枢動中にストレス下に置かれ、かつ、閉位置からローディング位置へと作動部の枢動動作を補助するように緩和する、少なくとも１つのばねを駆動器具が有する器具の場合において、駆動器具の起動停止が実現され得るのは、特に、硬質な食材が粉砕されるときであり、その目的のために、ユーザは全力を要する。これは、作動部をローディング位置から閉位置へと枢動中に、ストレス下にばねを置くためのエネルギーを、ユーザが追加的に与えなければならないという事態を防ぐ。
【００３５】
対照的に、力をほとんど要することなく、作動部によって切断部に押し込まれ得る食材の粉砕に関して、例えば、閉位置からローディング位置へと作動部の枢動を補助するため、あるいは、追加的に生じさせるため、駆動が起動され得る。
【００３６】
駆動器具の補助力が調整可能である器具の場合、例えば、食材の切断性に依存する方法で、完全な起動停止と完全な起動との間の中間設定を選択することが、有利に可能である。
【００３７】
特定の実施形態において、ベース部は、粉砕された食材のための通路を有する。レセプタクルに切断部が挿入されないとき、特に、切断部用のレセプタクルは、フードスライサーによって粉砕された食材のための通路を備える、ということが規定され得る。アイテムを押し込むことによる切断から、フードスライサーを使用する切断に器具を変換するために、切断部をレセプタクルから除去することが単に必要であり、かつ、作動部をフードスライサーと置き換えるか、あるいは、支持体として形成されるフードスライサーからプレスプランジャーを除去することが必要である。
【００３８】
特に、個々に使用可能な実施形態において、多数の切断部は、レセプタクルに同時に挿入され得る、ということが規定され、かつ／あるいは、異なるサイズの切断部がレセプタクルに挿入され得る、ということが規定される。
【００３９】
既に述べたように、フードスライサーが少なくとも１つの制御要素を有し、それによって、切断の厚み及び／又は切断パターンが調整され得る、ということが有利に規定され得る。制御要素は、特に、フードスライサーの切断側の反対に面する、フードスライサーの側部に配置され、かつ／あるいは、放出方向に配向したフードスライサーの裏側に配置され得る。このような方法で、特に、枢動動作中に障害をもたらす、側方に突き出る制御要素の部品が、完全に取り除かれる。特に、これは、枢動動作の実行中に、制御要素の部分が意図せずにベース部と衝突するという事態を防ぐ。特に、そのような実施形態の場合、制御要素のためのスペースを備えるために、ベース部が特別な方法で形作られる必要はない。
【００４０】
器具は、特に、粉砕プロセスのために、調理台に置かれるように設計され得る。例えば、調理台に置くために、器具は、例えば、支持脚といった、スタンドを有することができる。特に、粉砕された食材を収集するための容器、そして、スタンドとしての機能も設計され得る。
【００４１】
器具は、有利に、蓋の形態でよい。好ましくは、容器開口を完全に覆うように、蓋は、容器に取り付けられ、かつ／あるいは、容器に固定され得る。粉砕された食材は、このようにして、安全、かつ、確実に容器内で収集され得る。特に、このような方法では、不要なもの（ｕｎｄｅｓｉｒｅｄ  ａｒｔｉｃｌｅｓ）が容器内の食べ物に入ることが防止されることも実現される。これは、特に、台所エリア内で複数の食べ物を同時に用意する場合に適用される。更に、使用後、分離する蓋を取り付けるために、器具を除去する必要がない。これは、器具の使用時間の間隔が短い場合に、特に適用される。
【００４２】
更なる実施形態において、作動部の代替として、あるいは、作動部に加えて、ベース部に関節的に固定可能であるか、あるいは、固定されるフードスライサーの代わりに、作動部は支持体を有する。少なくとも１つのプレスプランジャーが、好ましくは、取り外し可能な方法で、支持体に固定可能であるか、あるいは、固定される。フードスライサーは、支持体を形成するか、あるいは、支持体を有する。本実施形態において、閉位置からローディング位置へ、かつ／あるいは、ローディング位置から閉位置への、作動部及び／又はフードスライサーの枢動動作を有利に補助するために、あるいは、生じさせるために、器具は、少なくとも１つの駆動器具、特に、ばね駆動を有する。
【００４３】
特定の実施形態において、ベース部は、粉砕された食材のための容器の形態である。更に、この種の容器は、食品粉砕器具を調理台に置くことを可能にするためのスタンドの形態でもよい。
【００４４】
しかしながら、ベース部が容器の形態であるか、ないかに限らず、ベース部は、追加的に、食品粉砕器具を調理台に置くことを可能にするためのスタンドの形態であるか、あるいは、食品粉砕器具を調理台に置くことを可能にするためのスタンドを有する、ということも有利に規定され得る。
【００４５】
粉砕されたアイテムを収集するための容器と、容器用の蓋として設計される本発明に従った食品粉砕器具とを有する台所用品であることが、非常に特に有利である。この場合、特に、容器開口を完全に覆うように、蓋の形態の食品粉砕器具を容器に取り付けることができる、ということが有利に規定され得る。特に、粉砕プロセスのために、例えば、ねじ結合によって、あるいは、戻り止め結合によって、一時的に食品粉砕器具を容器縁部に固定することができる、ということが追加的に規定され得る。
【００４６】
粉砕プロセスのために、調理台に置くように台所用品を設計することが有利に可能である。
【００４７】
例えば、台所用品の容器は、食品粉砕器具を調理台に置くことを可能にするためのスタンドの形態である、ということが規定され得る。例えば、支持脚、特に、ゴム又は他の弾性材で形成されるノンスリップ支持脚が、容器のベースの外側に配置され得る。
【００４８】
本発明の主題は、図面に概略的に示され、図に基づき以下で説明される。同一要素又は同一動作の要素は、通常、同様の参照符号により示される。
【図面の簡単な説明】
【００４９】
【図１】側面視にて、ベース部及び作動部を有する、本発明に従った器具の例示的な実施形態の断面図である。
【図２】側面視にて、ベース部及びフードスライサーを有する、本発明に従った器具の例示的な実施形態の断面図である。
【図３】側面視にて、フードスライサーと、それに取り付けられたプレスプランジャーと、ベース部とを有する、本発明に従った器具の異なる例示的な実施形態の断面図である。
【図４】側面視にて、２つの異なる切断部を有するベース部を備える、本発明に従った器具の更なる例示的な実施形態の断面図である。
【図５】側面視にて、作動部がベース部と共に９０°の内角を成す作動部の位置における、ジョイントの拡大図である。
【図６】側面視にて、作動部がベース部と共に０°の内角を成す作動部の位置における、ジョイントの拡大図である。
【発明を実施するための形態】
【００５０】
図１は、側面視にて、本発明に従った器具１の例示的な実施形態の断面図である。器具１は、ジョイント２により互いに接続される、ベース部３及び作動部４を有する。ジョイント２は、ジョイントヘッド１０と、少なくとも部分的にジョイントヘッド１０を取り囲むジョイントレセプタクル１１とを有する。ハンドル９は、作動部４に締結される。ベース部３は、容器１８に取り付けられ、かつ、レセプタクル１６を有する。レセプタクル１６内には、切断部６が配置される。切断部６は、細線で図示される切断部刃１７を有する。更に、図１において、ジョイント２の作動部４に関して可能な枢動方向を示す曲線状の両方向矢印がある。
【００５１】
図示した器具１は、以下のように使用される。ユーザは、食材２０を切断部６に置き、その上で切断部６に向かって作動部４を枢動させることによって、食材を切断部６に押し込むことができる。食材２０が切断部６に押し込まれると、食材２０は切断部刃１７によって細かく切断される。粉砕された食材２０は、容器１８に落下し、そこで収集される。
【００５２】
ユーザは、切断部６により、連続して、異なる食材２０を切断することもできる。代替的に、多数の食材２０を切断部６に置くことも可能であり、また、同時に細かく切断することも可能である。例えば、異なる切断形状を実現するために、かつ／あるいは、異なる食材２０を細かく切断するために、ユーザは、更に、切断部６を異なる切断部に交換することができる。この場合、異なる切断部を使用する切断プロセスは、上述のものと類似して行われる。
【００５３】
図２は、側面視にて、作動部４がフードスライサー５に置き換えられた、本発明に従った器具１の例示的な実施形態の断面図である。ベース部３は、容器１８に取り付けられ、図１に図示した実施形態とは対照的に、切断部６を有さない。この場合、図１に図示した状態と類似して、ベース部３はレセプタクル１６を有するが、その中に切断部６は配置されない。食材２０は、特に、レセプタクル１６に備えられる貫通開口１９を介して、容器１８に入れることができる。
【００５４】
フードスライサー５は、ジョイント２によりベース部３に関節接続され、かつ、スライスするための刃先１２と、食材２０を細かく切断するためのいくつかの垂直刃１３とを有する。ユーザがフードスライサー５をより簡単に操作することができるために、ハンドル９はフードスライサー５に取り付けられる。
【００５５】
食材２０をスライスするために、作動部４は、ベース部３の方向において、図２に図示した位置から作業位置へと枢動される。作業位置において、空間的観点から、フードスライサー５は、貫通開口１９に対して最も近くにある。更に、作業位置において、スライス用のアイテムがフードスライサー５の作業軸に沿って前後に動き、作業軸は、ベース部３の平面に少なくとも実質的に平行に配置される。作業位置への枢動後、食材２０はフードスライサー５の切断側に置かれる。切断部は、容器１８の反対に面し、かつ、垂直刃１３及び刃先１２が備えられる、作動部４の側部にある。
【００５６】
食材２０は、刃先１２によってスライスされ、かつ、垂直刃１３によって追加的に細かく切断され得る。スライスされ、かつ／あるいは、細かく切断された食材２０は、貫通開口１９を介して容器１８に落下し、そこで収集される。食材２０の処理後、あるいは、処理中、容器１８にある食材２０にアクセスするため、あるいは、フードスライサー５の裏側にある制御要素によって切断の厚み及び／又は切断形状を調整するために、フードスライサー５は、ベース部３から離れた図２に示す位置に枢動され得る。
【００５７】
図３は、側面視にて、本発明に従った器具１の更なる例示的な実施形態の断面図である。器具１は、図２に図示した器具と実質的に同様の方法で構成される。２つの器具の違いは、フードスライサー５の設計にある。
【００５８】
従って、図３に図示した器具１において、フードスライサー５は支持体８を有する。支持体８は、ジョイント２により、一端部において、ベース部３に関節接続される。プレスプランジャー７は、ベース部３のレセプタクルに向かう、支持体８の側部に取り付けられる。上記の２つの器具１における更なる違いは、図３に図示した器具１では、切断部６がレセプタクル１６内に配置されるという点である。
【００５９】
プレスプランジャー７は、プレスプランジャー７を多数の個々のプランジャーに分割する多数の窪み部を有する。フードスライサー５がベース部３の方向に枢動されるとき、切断部６の切断部刃１７は、対応する形態と共に、プレスプランジャー７の窪み部に突き出る。この場合、個々の切断部刃１７間の切断部６に突き出る深さを画定する、個々のプランジャーの空間範囲は、個々のプランジャーが切断部刃１７間に完全に突き出ることができるサイズとなるように選択される。
【００６０】
フードスライサー５の枢動動作中に、食材が切断部６に押し込まれるように、プレスプランジャー７は切断部６にある食材２０を押す。押し込まれることで、食材２０は切断部刃１７によって細かく切断される。次いで、食材は容器１８に落下し、そこで収集される。
【００６１】
例えば、食材２０が細かく切断された後、ユーザは、支持体８からプレスプランジャー７を取り外し、かつ、レセプタクル１６から切断部６を除去することができる。従って、器具１の構成は、図２に図示し、スライス用に備えられた器具に実質的に対応する。
【００６２】
図４は、側面視にて、本発明に従った器具１の更なる例示的な実施形態の断面図である。図４に図示した器具１は、図１に図示した器具１と類似している。２つの器具における違いは、設計の異なるベース部３にある。
【００６３】
ベース部３は、レセプタクル１６を有し、その中に、２つの切断部１４、１５が配置される。これらの切断部は、特に、互いに異なって設計される。２つの切断部１４、１５は、切断部刃１７の配置及び／又は設計の観点において互いに異なる。更に、２つの切断部１４、１５は、同時にレセプタクル１６内に配置され、かつ、共通の平面にある。他の図に図示した器具と類似して、作動部４は、ベース部３に関節接続される。ベース部３と、作動部４との間に形成される内角２１は、両方向矢印によって示される。作動部４の枢動動作中に、それに応じて内角２１が変化することは明らかである。
【００６４】
食材２０を細かく切断するために、ユーザは、２つの異なる切断部１４、１５を同時に使用する可能性がある。この目的のために、ユーザは、作動部４を２つの切断部１４、１５に向かって枢動させる。このような方法で、切断部１４、１５にある食材２０は、これらの切断部に押し込まれ、かつ、切断部刃１７によって細かく切断される。次いで、食材２０は容器１８に直接落下する。代替使用のため、ユーザは、図示した切断部１４、１５を、例えば、異なる刃配列を有する切断部といった、他の切断部（図示しない）に交換することができる。
【００６５】
図５は、側面視にて、作動部４がベース部３と共に９０°の内角を成す位置における、ジョイント２の拡大図である。器具１のそのような設計は、ジョイント２の拡大図と併せて、図５に示される。ジョイント２は、ヒンジ接合（ｈｉｎｇｅｄ  ｊｏｉｎｔ）でよい。
【００６６】
作動部４は、ジョイントレセプタクル１１を有する。ジョイントレセプタクル１１は、断面において円環形状であり、かつ、通路２２を有する。ベース部４は、ジョイントヘッド１０を有する。立方状のジョイントヘッド１０が通路を介してジョイントレセプタクル１１から取り外し可能であるように、通路２２は、寸法決めされ、かつ、設計される。ユーザがベース部３に垂直な作動部４で引っ張るとき、ジョイントレセプタクル１１がジョイントヘッド１０から取り外されるように、ジョイントヘッド１０及びジョイントレセプタクル１１の図示した位置は、互いに対して配向される。これは、図示した位置において、ジョイントヘッド１０の長手方向軸が、通路２２の長手方向軸に対して同軸に配向されることを意味する。
【００６７】
図６は、側面視にて、作動部４がベース部３と共に０°の内角を成す位置における、ジョイント２の拡大図である。この位置において、作動部４は、最大限にベース部３に向かって枢動された。作動部４とベース部３との間の異なる内角は、立方状のジョイントヘッド１０に対するジョイントレセプタクル１１の変更された位置も生じさせる。図６に図示した位置において、ジョイントヘッド１０及びジョイントレセプタクル１１が、径方向に分離することはできない。更に、ジョイントヘッド１０の長手方向軸は、通路２２の長手方向軸に対して、横方向に、特に、垂直に位置することが分かる。このため、ジョイントヘッド１０は通路２２を介して案内されず、従って、ジョイントレセプタクル１１からジョイントヘッド１０を分離することはできない。
【符号の説明】
【００６８】
１    器具
２    ジョイント
３    ベース部
４    作動部
５    フードスライサー
６    切断部
７    プレスプランジャー
８    支持体
９    ハンドル
１０    ジョイントヘッド
１１    ジョイントレセプタクル
１２    フードスライサーの刃先
１３    フードスライサーの垂直刃
１４    第１刃配列を有する切断部
１５    第２刃配列を有する切断部
１６    レセプタクル
１７    切断部刃
１８    容器
１９    貫通開口
２０    食材
２１    内角
２２    通路
【図１】
2016501647.tif 000003
【図２】
2016501647.tif 000004
【図３】
2016501647.tif 000005
【図４】
2016501647.tif 000006
【図５】
2016501647.tif 000007
【図６】
2016501647.tif 000008
【国際調査報告】
2016501647.tif 000009
2016501647.tif 000010
2016501647.tif 000011
2016501647.tif 000012
2016501647.tif 000013
2016501647.tif 000014